(57)【要約】【課題】アクション時期の異なるオブジェクトに対する意見文を、当該アクション起動日からの経過時間と、当該意見文が記述された日と、に応じた比較が困難であった。【解決手段】オブジェクトの名前，アクションの種類，アクション起動日からの経過時間を情報入力装置を用いて入力する（１）。前記入力された名前と、アクションの種類と、に応じて、アクション起動日をアクション情報記憶装置５から取得する（２）。前記入力されたオブジェクトに対するアクションの種類に応じて取得されたアクション起動日と、前記入力された経過時間と、前記オブジェクトの名前と、に応じた記述日に対応する意見文をオブジェクト文記憶装置６から取得する（３）。前記名前，前記アクション種類，前記経過時間，取得された意見文を出力する（４）。【選択図】図１
2008299600.tif 000002
【特許請求の範囲】
【請求項１】
全てのものであるオブジェクトの名前，該オブジェクトに対するアクションの種類，該オブジェクトに対してアクションを起動する日であるアクション起動日を含むアクション情報を記憶し管理するアクション情報記憶装置と、
オブジェクトの名前，該オブジェクトに対する意見を記載した意見文，該意見文が記述された記述日を含むオブジェクト文情報を記憶し管理するオブジェクト文記憶装置と、
情報入力装置と、を備え、
該オブジェクトに応じた意見文を出力する意見文出力装置であって、
前記オブジェクトの名前を前記情報入力装置を用いて入力する名前入力手段と、
前記オブジェクトに対するアクションの種類を前記情報入力装置を用いて入力するアクションの種類入力手段と、
前記オブジェクトのアクション起動日からの経過時間を入力する経過時間入力手段と、
を備え、それら各手段を使って前記オブジェクトに関する情報を入力するオブジェクト情報入力手段と、
前記オブジェクト情報入力手段によって入力されたオブジェクトの名前と、該オブジェクトのアクションの種類と、に応じたアクション起動日を該アクションの種類毎に前記アクション情報記憶装置から取得するアクション起動日取得手段と、
前記入力されたオブジェクトに対するアクションの種類に応じた前記アクション起動日取得手段によって取得されたアクション起動日と、前記オブジェクト情報入力手段によって入力された経過時間と、前記オブジェクトの名前と、に応じた記述日に対応する意見文を前記オブジェクト文記憶装置から取得する意見文取得手段と、
前記オブジェクトの名前，前記アクションの種類，前記経過時間，前記意見文取得手段で取得された意見文を出力する意見文出力手段と、
を備えることを特徴とする意見文出力装置。
【請求項２】
請求項１に記載の意見文出力装置において、
前記意見文出力手段が、
前記意見文取得手段によって取得された意見文の種類毎の出現数に基づいて、当該意見文の種類に関する統計情報を算出する意見集計手段と、
前記意見集計手段によって算出された統計情報を、該当するオブジェクトの名前，アクションの種類，経過時間と共に出力する手段と、
を備える
ことを特徴とする意見文出力装置。
【請求項３】
全てのものであるオブジェクトの名前，該オブジェクトに対するアクションの種類，該オブジェクトに対してアクションを起動する日であるアクション起動日を含むアクション情報を記憶し管理するアクション情報記憶装置と、
オブジェクトの名前，該オブジェクトに対する意見を記載した意見文，該意見文が記述された記述日を含むオブジェクト文情報を記憶し管理するオブジェクト文記憶装置と、
情報入力装置と、を備え、
該オブジェクトに応じた意見文を出力する装置に使用する意見文出力方法であって、
前記オブジェクトの名前を前記情報入力装置を用いて入力する名前入力ステップと、
前記オブジェクトに対するアクションの種類を前記情報入力装置を用いて入力するアクションの種類入力ステップと、
前記オブジェクトのアクション起動日からの経過時間を入力する経過時間入力ステップと、
を有し、それら各ステップを実行する前記オブジェクトに関する情報を入力するオブジェクト情報入力ステップと、
前記オブジェクト情報入力ステップによって入力されたオブジェクトの名前と、オブジェクトのアクションの種類と、に応じたアクション起動日を該アクションの種類毎に前記アクション情報記憶装置から取得するアクション起動日取得ステップと、
前記入力されたオブジェクトに対するアクションの種類に応じた前記アクション起動日取得ステップによって取得されたアクション起動日と、前記オブジェクト情報入力ステップによって入力された経過時間と、前記オブジェクトの名前と、に応じた記述日に対応する意見文を前記オブジェクト文記憶装置から取得する意見文取得ステップと、
前記オブジェクトの名前，前記アクションの種類，前記経過時間，前記意見文取得ステップで取得された意見文を出力する意見文出力ステップと、
を備えることを特徴とする意見文出力方法。
【請求項４】
請求項３に記載の意見文出力方法において、
前記意見文出力ステップが、
前記意見文取得ステップによって取得された意見文の種類毎の出現数に基づいて、当該意見文の種類に関する統計情報を算出する意見集計ステップと、
前記意見集計ステップによって算出された統計情報を、該当するオブジェクトの名前，アクションの種類，経過時間と共に出力するステップと、
を有する
ことを特徴とする意見文出力方法。
【請求項５】
請求項１または２に記載の意見文出力装置における各手段を、コンピュータで実行可能なコンピュータプログラムとして記述したことを特徴とする意見文出力プログラム。
【請求項６】
請求項５に記載の意見文出力プログラムを記録したことを特徴とする記録媒体。
【発明の詳細な説明】
【技術分野】
【０００１】
本発明は、電子文書に含まれる特定の意見を表す意見文を出力する技術に関するものである。
【背景技術】
【０００２】
インターネットやアンケート調査等において、有形の存在（例えば、作品），無形の存在（例えば、イベント）を含むもの全てもの（即ち、オブジェクト）に対して、自然言語で記載された意見文が含まれている電子文書（以下、単に文書という）から、時間という観点で比較するために、その意見文を出力する手法は一般に知られている。
【０００３】
例えば、文書内から意見文を抽出し、時間を含むさまざまな観点で比較分析できるように意見文を表示する技術（例えば、非特許文献１参照）である。この技術によって、意見文の記述時刻という観点で分類し、比較することができる。
【０００４】
また、文書内の主観的な特徴語を数値化し、さまざまな観点で主観的な特徴を表示する技術（例えば、非特許文献２参照）も知られている。例えば、アンケートの実施時期を一定期間に区切って表示することによって、その期間毎に意見の状況を比較できる。
【０００５】
一方、記述されている表現の出現に関して時間軸で分析している技術（例えば、非特許文献３参照）も存在する。この技術では、一定の期間内で急激に出現頻度が増す表現をその期間で注目されている話題と特定している。この技術を用いれば、例えば、ある特定の意見が一定期間に文書内でどのように出現しているかを知ることは可能であり、複数の意見表現を同一期間内で比較すれば、どのような意見が活発に交わされているかが判る。
【非特許文献１】立石  健二，福島  俊一，小林  のぞみ，上出  将行，高橋  哲朗，乾  孝司，藤田  篤，乾  健太郎，松本  裕治、「Ｗｅｂ文書集合からの意見情報抽出と着眼点に基づく要約生成」、第１０回年次大会  発表論文集、言語処理学会、２００４（平成１６）年３月、ＰＰ．６４４−６４７。
【非特許文献２】佐野  真、「感性品質評価語辞書を利用したテキストマイニング」、情報処理学会論文誌：データベース、情報処理学会、２００４（平成１６）年６月、Ｖｏｌ．４５  Ｎｏ．ＳＩＧ０７、ｐｐ．４３−５３。
【非特許文献３】藤木  稔明，南野  朋之，鈴木  泰裕，奥村  学、「ｄｏｃｕｍｅｎｔ  ｓｔｒｅａｍにおけるｂｕｒｓｔの発見」、情報処理学会研究報告、情報処理学会  自然言語処理研究会、２００４（平成１６）年３月５日、２００４−ＮＬ−１６０、ｐｐ．８５−９２。
【発明の開示】
【発明が解決しようとする課題】
【０００６】
上述のどの技術も、時間の設定が文書の記述された時間であって、意見対象そのものに関する時間、即ち、オブジェクト（例えば、作品やイベント）に対してアクションを起動する日（即ち、アクション起動日もしくはアクション時期；例えば、公開時期，実施時期）の時間を扱ってはいない。
【０００７】
そのために、アクション起動日の異なる複数のオブジェクトに対する意見文（もしくは感想文）に対し、当該アクション時期からの経過時間（もしくは経過日数）と、当該意見文（もしくは感想文）が記述された時期と、に応じた比較を困難にしていた。
【０００８】
また、同じオブジェクトについて、異なるアクションに起因する視聴者や体験者の意見文（もしくは感想文）に対し、複数のアクション時期からの経過時間（経過日数）と、意見文（もしくは感想文）が記述された時期と、に応じた比較も困難にしていた。
【０００９】
本発明は、前記課題に基づいてなされたものであって、オブジェクトに対する意見文を記述した日及び該オブジェクトのアクション起動日に応じて、当該オブジェクトの意見文を比較できるように該意見文を出力する意見文出力装置，意見文出力方法，意見文出力プログラム及びそのプログラムを格納した記録媒体を提供することにある。
【課題を解決するための手段】
【００１０】
前記課題の解決を図るために、請求項１記載の発明は、全てのものであるオブジェクトの名前，該オブジェクトに対するアクションの種類，該オブジェクトに対してアクションを起動する日であるアクション起動日を含むアクション情報を記憶し管理するアクション情報記憶装置と、オブジェクトの名前，該オブジェクトに対する意見を記載した意見文，該意見文が記述された記述日を含むオブジェクト文情報を記憶し管理するオブジェクト文記憶装置と、情報入力装置と、を備え、該オブジェクトに応じた意見文を出力する意見文出力装置であって、前記オブジェクトの名前を前記情報入力装置を用いて入力する名前入力手段と、前記オブジェクトに対するアクションの種類を前記情報入力装置を用いて入力するアクションの種類入力手段と、前記オブジェクトのアクション起動日からの経過時間を入力する経過時間入力手段と、を備え、それら各手段を使って前記オブジェクトに関する情報を入力するオブジェクト情報入力手段と、前記オブジェクト情報入力手段によって入力されたオブジェクトの名前と、該オブジェクトのアクションの種類と、に応じたアクション起動日を該アクションの種類毎に前記アクション情報記憶装置から取得するアクション起動日取得手段と、前記入力されたオブジェクトに対するアクションの種類に応じた前記アクション起動日取得手段によって取得されたアクション起動日と、前記オブジェクト情報入力手段によって入力された経過時間と、前記オブジェクトの名前と、に応じた記述日に対応する意見文を前記オブジェクト文記憶装置から取得する意見文取得手段と、前記オブジェクトの名前，前記アクションの種類，前記経過時間，前記意見文取得手段で取得された意見文を出力する意見文出力手段と、を備えることを特徴とする。
【００１１】
請求項２記載の発明は、請求項１記載の発明において、前記意見文出力手段が、前記意見文取得手段によって取得された意見文の種類毎の出現数に基づいて、当該意見文の種類に関する統計情報を算出する意見集計手段と、前記意見集計手段によって算出された統計情報を、該当するオブジェクトの名前，アクションの種類，経過時間と共に出力する手段と、を備えることを特徴とする。
【００１２】
請求項３記載の発明は、全てのものであるオブジェクトの名前，該オブジェクトに対するアクションの種類，該オブジェクトに対してアクションを起動する日であるアクション起動日を含むアクション情報を記憶し管理するアクション情報記憶装置と、オブジェクトの名前，該オブジェクトに対する意見を記載した意見文，該意見文が記述された記述日を含むオブジェクト文情報を記憶し管理するオブジェクト文記憶装置と、情報入力装置と、を備え、該オブジェクトに応じた意見文を出力する装置に使用する意見文出力方法であって、前記オブジェクトの名前を前記情報入力装置を用いて入力する名前入力ステップと、前記オブジェクトに対するアクションの種類を前記情報入力装置を用いて入力するアクションの種類入力ステップと、前記オブジェクトのアクション起動日からの経過時間を入力する経過時間入力ステップと、を有し、それら各ステップを実行する前記オブジェクトに関する情報を入力するオブジェクト情報入力ステップと、前記オブジェクト情報入力ステップによって入力されたオブジェクトの名前と、オブジェクトのアクションの種類と、に応じたアクション起動日を該アクションの種類毎に前記アクション情報記憶装置から取得するアクション起動日取得ステップと、前記入力されたオブジェクトに対するアクションの種類に応じた前記アクション起動日取得ステップによって取得されたアクション起動日と、前記オブジェクト情報入力ステップによって入力された経過時間と、前記オブジェクトの名前と、に応じた記述日に対応する意見文を前記オブジェクト文記憶装置から取得する意見文取得ステップと、前記オブジェクトの名前，前記アクションの種類，前記経過時間，前記意見文取得ステップで取得された意見文を出力する意見文出力ステップと、を備えることを特徴とする。
【００１３】
請求項４記載の発明は、請求項３の発明において、前記意見文出力ステップが、前記意見文取得ステップによって取得された意見文の種類毎の出現数に基づいて、当該意見文の種類に関する統計情報を算出する意見集計ステップと、前記意見集計ステップによって算出された統計情報を、該当するオブジェクトの名前，アクションの種類，経過時間と共に出力するステップと、を有することを特徴とする。
【００１４】
請求項５記載の発明は、意見文出力プログラムであって、請求項１または２に記載の意見文出力装置における各手段を、コンピュータで実行可能なコンピュータプログラムとして記述したことを特徴とする。
【００１５】
請求項６記載の発明は、記録媒体であって、請求項５に記載の意見文出力プログラムを記録したことを特徴とする。
【００１６】
前記請求項１または３に記載の発明は、当該オブジェクトのアクション起動日，経過時間，当該作品に対する意見文の記述日，当該作品に対する意見文を取得できる。
【００１７】
前記請求項２または４に記載の発明は、意見文の種類に関する統計情報を取得できる。
【００１８】
前記請求項５に記載の発明は、請求項１または２に記載の意見文出力装置をコンピュータプログラムとして記載できる。
【００１９】
前記請求項６に記載の発明は、請求項５に記載の意見文出力プログラムを記録媒体に記録できる。
【発明の効果】
【００２０】
以上示したように請求項１または３の発明によれば、当該オブジェクトのアクション起動日からの経過時間に応じた当該意見文の記述日に基づいて、該作品に対する意見文を比較できるように提示できる。
【００２１】
請求項２または４の発明によれば、統計情報に基づいて意見文を比較できるように提示できる。
【００２２】
請求項５の発明によれば、意見文出力装置としてコンピュータを動作させるコンピュータプログラムを提供できる。
【００２３】
請求項６の発明によれば、意見文出力装置としてコンピュータを動作させるコンピュータプログラムを記録した記録媒体を提供できる。
【００２４】
これらを以って情報処理技術分野に貢献できる。
【発明を実施するための最良の形態】
【００２５】
本発明の実施形態における意見文出力装置の構成を図１に基づいて説明する。なお、以下の説明では、作品（もしくはイベント）を例として説明しているが、作品（もしくはイベント）のような生産物に限らずに、オブジェクトに適応できるものである。また、オブジェクトに対する働き（例えば、公開や実施）をアクションと称する。また、アクションは、例えば、アクション毎に付与された識別子によって、識別できるものとする。
【００２６】
図１中の意見文出力装置は、オブジェクトに関する情報を入力するオブジェクト情報入力手段１，オブジェクトに対してアクションを起動する日（アクション起動日；例えば、公開日，実施日）を取得するアクション起動日取得手段２，入力されたアクションの種類に応じたアクション起動日と、アクション起動日から経過した経過時間（もしくは経過日数）と、当該オブジェクトの名前と、に応じて、意見文を取得する意見文取得手段３，当該アクションの名前、当該アクションの種類、経過時間、意見文を出力する意見文出力手段４，当該アクションに関する情報を記憶するアクション情報記憶装置５，オブジェクトに対する意見文を含むオブジェクト文情報を記憶するオブジェクト文記憶装置６を備える。なお、前記経過時間は、例えば、公開日の午前０時（公開時刻）から経過した時間と定義しても良い。
【００２７】
さらに、前記オブジェクト情報入力手段１は、オブジェクトの名前を入力する名前入力手段１１，オブジェクトに対するアクションの種類を入力するアクションの種類入力手段１２，オブジェクトのアクション起動日から経過した経過時間（もしくは経過日数）を入力する経過時間入力手段１３を含む。
【００２８】
なお、意見文出力装置は、該意見文出力装置における各手段（各部），各装置を制御する制御手段（例えば、ＣＰＵ（Ｃｅｎｔｒａｌ  Ｐｒｏｃｅｓｓｉｎｇ  Ｕｎｉｔ）やＯＳ（Ｏｐｅｒａｔｉｎｇ  Ｓｙｓｔｅｍ））を備えていてもよい。意見文出力装置は、一般的な記憶装置（例えば、メモリやハードディスク装置）を備えていても良い。アクション情報記憶装置５とオブジェクト文記憶装置６は、データベースを構成された前記一般的な記憶装置（データベース装置）を含んでも良い。
【００２９】
図１中の意見文出力装置の構成を更に詳しく説明する。
【００３０】
オブジェクト情報入力手段１は、一般的な情報入力装置等を使ってオブジェクトに関する情報を入力する。例えば、一般的な情報入力装置であるキーボード装置などのユーザーインタフェース装置やネットワークなどの通信回線を介して通信装置からオブジェクトに関する情報を入力する。
【００３１】
名前入力手段１１は、オブジェクトの名前を入力する。
【００３２】
アクションの種類入力手段１２は、オブジェクトのアクションの種類を入力する。
【００３３】
経過時間入力手段１３は、オブジェクトに対するアクションの起動時刻から経過した時間を入力する。なお、入力する時間の単位は、時間であってもよいし、日数であってもよい。
【００３４】
アクション起動日取得手段２は、オブジェクト情報入力手段１によって入力された名前、アクションの種類に応じて、アクションの種類毎にアクション起動日を、アクション情報記憶装置５から取得する。
【００３５】
意見文取得手段３は、当該アクションの種類に応じた前記アクション起動日取得手段２によって取得されたアクション起動日と、オブジェクト情報入力手段１によって入力された経過時間（もしくは経過日数）と、オブジェクト文記憶装置６に格納された意見文の記述日に対応するオブジェクトの名前と、に応じた意見文をオブジェクト文記憶装置６から取得する。
【００３６】
意見文出力手段４は、当該オブジェクトの名前，当該アクションの種類，当該経過時間，意見文取得手段３で取得された意見文を出力する。例えば、視認できるように、ディスプレイ装置などの表示装置などに出力しても良い。なお、意見文出力手段４は、前記意見文取得手段３によって取得された意見文の種類毎の出現数に基づいて、当該意見文の種類の統計情報を算出する意見集計手段，該意見集計手段によって算出された統計情報を前記オブジェクトの名前、前記アクションの種類、前記経過時間と共に出力する手段を含んでも良い。
【００３７】
アクション情報記憶装置５は、オブジェクトの名前（例えば、作品名，イベント名），アクション（例えば、公開，実施）の種類，アクション起動日（例えば、公開日，実施日）を含むアクション情報を記憶し管理する。
【００３８】
オブジェクト文記憶装置６は、オブジェクトの名前，オブジェクトに対する意見文，該意見文が記述された記述日（もしくは記述日時）を含むオブジェクト文情報を記憶し管理する。
【００３９】
本発明の実施形態における意見文出力装置の動作を図２に基づいて説明する。
【００４０】
まず、一般的な情報入力装置等を使ってオブジェクトの名前（例えば、作品名，イベント名）を入力する（Ｓ１０１）。
【００４１】
次に、一般的な情報入力装置等を使ってアクション（例えば、公開もしくは実施）の種類を入力する（Ｓ１０２）。
【００４２】
次に、一般的な情報入力装置等を使って経過時間（もしくは経過日数）を入力する（Ｓ１０３）。
【００４３】
次に、入力されたオブジェクトの名前と、入力されたアクションの種類に応じて、アクションの種類毎にアクション起動日を、オブジェクトの名前，アクションの種類，アクション起動日が記憶されているアクション情報記憶装置５から取得する（Ｓ１０４）。
【００４４】
次に、入力されたアクションの種類に応じて取得されたアクション起動日と、入力された経過時間（経過日数）と、入力されたオブジェクトの名前と、に応じた意見文をオブジェクト文記憶装置６から取得する（Ｓ１０５）。
【００４５】
そして、当該オブジェクトの名前、当該アクションの種類、当該経過時間（もしくは経過日数）、と共に取得された意見文を出力する（Ｓ１０６）。
【００４６】
また、前記意見文を出力するステップＳ１０６に、前記意見文を取得するステップＳ１０５によって取得された意見文の種類毎の出現数に基づいて、当該意見文の種類の統計情報を算出する意見集計ステップを含み、当該意見集計ステップによって算出された統計情報を、前記オブジェクトの名前、前記アクションの種類、前記経過時間（もしくは経過日数）と共に出力するステップを含む。
【００４７】
以上のように、本実施形態によれば、アクション（公開もしくは実施）時期の異なるオブジェクト（作品もしくはイベント）に対する意見文（もしくは感想文）を、アクション起動時期からの経過時間（もしくは経過日数）に応じた当該意見文の記述された時期に基づいて比較できる。
【００４８】
また、同じオブジェクトについて、異なるアクションに起因する視聴者や体験者の意見文（もしくは感想文）を、意見文が記述された時期のアクション時期からの経過時間（もしくは経過日数）に基づいても比較できる。
【００４９】
なお、本実施形態の意見文出力装置における各手段の一部もしくは全部の機能をコンピュータのプログラムで構成し、そのプログラムをコンピュータを用いて実行して本発明を実現することができること、本実施形態の意見文出力装置に関する方法（手順）をコンピュータのプログラムで構成し、そのプログラムをコンピュータに実行させることができることは言うまでもなく、コンピュータでその機能を実現するためのプログラムを、そのコンピュータが読み取り可能な記録媒体（記憶媒体）、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、リムーバブルディスクなどに記録して、保存したり、配布したりすることが可能である。また、上記のプログラムをインターネットや電子メールなど、ネットワークを通して提供することも可能である。
【００５０】
さらに、上述の本実施形態の意見文出力装置に関する方法を記述したコンピュータプログラムを、その方法に必要とされる入出力データを格納したメモリや外部記憶部等にアクセスするように実装してもよい。
【００５１】
以下、本実施形態における実施例を説明する。なお、以下の実施例は、オブジェクトを作品、アクションを公開、アクション起動日を公開日としている。
【００５２】
［実施例１］
実施例１における意見文出力装置の構成を図３に基づいて説明する。なお、以下の説明で図１中の符号と同じ符号のものの説明は省略する。
【００５３】
図３中の意見文出力装置は、複数の作品に関する情報を入力する複数作品情報入力部１０１，公開日取得部２１，意見文取得部３１，意見文出力部４１，作品公開情報記憶装置５１，作品文記憶装置６１を備える。
【００５４】
さらに、複数作品情報入力部１０１は、複数の作品のタイトルを入力する複数タイトル入力部１０１１，１つの公開の種類入力部１０１２，経過時間入力部１０１３を備える。
【００５５】
複数タイトル入力部１０１１は、複数の作品のタイトル（名前）を入力する。
【００５６】
１つの公開の種類入力部１０１２は、１つの公開の種類を入力する。
【００５７】
経過時間入力部１０１３は、経過時間（もしくは経過日数）を入力する。
【００５８】
公開日取得部２１は、複数作品情報入力部１０１によって入力された、作品のタイトルと、公開の種類に応じて、公開の種類毎に公開日を、作品公開情報記憶装置５１から取得する。
【００５９】
意見文取得部３１は、当該公開の種類に応じた公開日取得部２１によって取得された公開日と、複数作品情報入力部１０１によって入力された経過時間（もしくは経過日数）と、に応じた記述日の意見文を作品文記憶装置６１からタイトル毎に取得する。例えば、前記公開の種類に応じた公開日から経過時間までの間に記述日が存在する意見文を該入力されたタイトル毎に作品文記憶装置６１から取得する。
【００６０】
意見文出力部４１は、意見集計部４１１を備える。意見集計部４１１は、意見文取得部３１によって取得された意見の種類毎の出現数に基づいて、当該意見の種類の統計情報を算出し、当該統計情報を、当該作品のタイトル、当該公開の種類、当該経過時間（もしくは経過日数）と共に出力する。
【００６１】
作品公開情報記憶装置５１は、作品名，公開の種類，公開日を含む作品公開情報を記憶し管理する。作品公開情報記憶装置５１は、アクション情報記憶装置の一例である。
【００６２】
作品文記憶装置６１は、作品名，作品に対する意見文，該意見文を含む文書の識別子である文書ＩＤ（Ｉｄｅｎｔｉｆｉｅｒ），該意見文が記述された記述日（もしくは記述日時）を含む作品文情報を記憶し管理する。作品文記憶装置６１は、オブジェクト文記憶装置の一例である。
【００６３】
次に、実施例１における意見文出力装置の動作を図４に基づいて説明する。
【００６４】
まず、意見文を比較したい複数のタイトルを複数タイトル入力部１０１１を用いて入力する（Ｓ２０１：複数タイトル入力ステップ）。例えば、作品名「映画Ａ１」とその続編の作品名「映画Ａ２」の意見を比較したい場合について説明する。複数タイトル入力部１０１１によって、作品名「映画Ａ１」、作品名「映画Ａ２」を入力する。なお、この例では、特定の映画名を入力しているが、比較したい映画一覧を、予め備えられた一般的な記憶装置に予め格納しておき、該一般的な記憶装置から順次比較する映画名を入力しても良い。また、映画一覧は、映画紹介のｗｅｂサイト等から入手できる。
【００６５】
次に、１つの公開の種類入力部１０１２によって、意見文を比較したい１つの公開の種類を入力する（Ｓ２０２：１つの公開の種類入力ステップ）。例えば、比較する種類を「映画上映」とする。１つの公開の種類入力部１０１２によって、「映画上映」を入力する。
【００６６】
次に、経過時間入力部１０１３によって、意見文を比較したい公開日からの経過時間（もしくは経過日数）を入力する（Ｓ２０３：経過時間入力ステップ）。例えば、映画の公開日を含めて３日間とした場合について説明する。経過時間入力部１０１３を使って、公開日を含めた３日間と入力する。
【００６７】
次に、公開日取得部２１が、ステップＳ２０１で取得されたタイトル（作品名）、ステップＳ２０２で取得された公開の種類に応じて、公開日を、作品公開情報記憶装置５１から、当該公開日を取得する（Ｓ２０４：公開日取得ステップ）。
【００６８】
図５は、公開情報一覧の例であって、作品公開情報記憶装置５１に格納された映画名（タイトル）Ｃ１１と該映画上映の公開日Ｃ１２を含む公開情報一覧Ｔ１である。実際に、一覧Ｔ１のような映画上映の公開日の情報は、例えば、映画のｗｅｂ公式サイトから入手できる。図５に基づく場合、ステップＳ２０１で、「映画Ａ１」，「映画Ａ２」が入力されているため、それぞれの映画上映の公開日に応じて、「２００４年２月１日」，「２００６年７月１日」を取得する。
【００６９】
次に、意見文取得部３１は、ステップＳ２０２で入力された公開の種類に応じてステップＳ２０４で取得された公開日からステップＳ２０３で取得された経過時間（もしくは経過日数）を加算した日時までに記述日が存在する意見文を、作品文記憶装置６１からステップＳ２０１で入力されたタイトル（作品名）毎に取得する（Ｓ２０５：意見文取得ステップ）。
【００７０】
例えば、作品文記憶装置６１が、作品名「映画Ａ１」に関する作品文情報を図６中の意見文情報一覧Ｔ２１のように、作品名「映画Ａ２」にする作品文情報を図７中の意見文情報一覧Ｔ２２のように格納する。これらの一覧は、例えば、上述の非特許文献１における方法を利用して、作品名「映画Ａ１」に関して記述されたブログ記事から意見文を抽出すれば、ブログ記事毎にその記述日と意見文を抽出できる。
【００７１】
また、図６及び図７は、意見文情報一覧の例であって、記述日と意見文の意見文情報一覧を文書毎に示している。例えば、図６中の意見文情報一覧Ｔ２１において、意見文を含む文書を識別する文書ＩＤ（Ｉｄｅｎｔｉｆｉｅｒ）  Ｃ２１が「Ａ１−１」、かつ、意見文を記述した記述日Ｃ２２が「２００４年２月１日」の場合、意見文Ｃ２３は「迫力があった」，「音楽が良い」が抽出されたことを示す。この例では、ステップＳ２０３で公開日を含めた３日間と指定したため、図６中の記述日Ｃ２２が「２００４年２月１日」，「２００４年２月２日」，「２００４年２月３日」の意見文、及び、図７中の記述日Ｃ２２が「２００６年７月１日」，「２００６年７月２日」，「２００６年７月３日」の意見文が取得される。
【００７２】
そして、意見文出力部４１が、ステップＳ２０５で取得された意見文を、意見集計部４１１によって、意見文の種類毎に該意見文の出現数を合計し、その合計値を、ステップＳ２０１で取得されたタイトル（作品名），ステップＳ２０２で取得された公開の種類，意見文，当該経過時間（もしくは経過日数）と共に出力する（Ｓ２０６：意見文出力ステップ）。
【００７３】
図８は、ステップＳ２０５によって図６，図７から取得された意見文を集計した結果（集計結果Ｒ１）である。その集計結果Ｒ１は、意見文Ｃ３１，映画Ａ１における出現数Ｃ３２１と映画Ａ２における出現数Ｃ３２２から成る映画公開日から２日間の出現数Ｃ３２から構成される。図８では、意見文種類毎に出現数の合計を算出しているが、比較するために都合の良い、意見文の種類毎の出現数に基づいた集計方法であれば何でも良い。例えば、集計方法は、出現数の合計値を文書数で割って１文書数当たりの数として算出する方法、出現数の合計値を全意見文の種類数で割って意見文の種類毎の割合として算出する方法などである。
【００７４】
また、図８では、集計結果Ｒ１を表形式で表示しているが、見やすい形に加工して表示しても良い。例えば、表示が棒グラフ表示、円グラフ表示などである。
【００７５】
そして、ユーザが図８中の集計結果Ｒ１を確認することによって、公開時期の異なる「映画Ａ１」と「映画Ａ２」の公開を含めた３日間に記述された意見文を容易に比較できる。なお、図８中では、公開日を含めない経過時間を表示しているため、２日間となっている。
【００７６】
例えば、図８では、映画上映の公開直後３日間の中では、映画Ａ１のほうが「迫力があった」と感じた人が多く、映画Ａ２のほうが「音楽が良い」，「感動した」と感じた人が多いことが判る。
【００７７】
一方、全時期を集計対象とした場合、最初に公開した映画に対する意見文が多くなりがちで、集計結果を比較しても有用な情報を得にくい。
【００７８】
例えば、図６中の文書ＩＤ  Ｃ２１における「Ａ１−１１」と「Ａ１−２１」が集計対象に含まれた場合、映画Ａ１の「音楽が良い」の合計が「３」となる。この集計では、映画Ａ２と同じになってしまい、映画上映の公開直後の意見（もしくは感想）では映画Ａ２のほうが「音楽が良い」と感じた人が多いことがわからなくなってしまう。
【００７９】
なお、図４中では、ステップＳ２０１，ステップＳ２０２，ステップＳ２０３の順に実行した場合について説明したが、これらのステップの順番は問わない。即ち、複数作品情報入力部１０１内における複数タイトル入力部１０１１，１つの公開の種類入力部１０１２，経過時間入力部１０１３による入力の順番は問わない。
【００８０】
また、実施例１は、コンピュータに実行させるプログラムとして実装できる。即ち、次のような手順を有するプログラムである。
【００８１】
（手順１．１）複数のタイトル（作品名）を入力する複数タイトル入力手順。
【００８２】
（手順１．２）１つの公開の種類を入力する１つの公開の種類入力手順。
【００８３】
（手順１．３）前記１つの公開の種類入力手順によって入力された種類に対する公開日から経過した時間（もしくは日数）を入力する経過時間入力手順。
【００８４】
（手順１．４）前記複数タイトル入力手順によって入力された複数のタイトル，前記１つの公開の種類入力手順によって入力された１つの公開の種類に応じて、公開日を作品公開情報記憶装置から取得する公開日取得手順。
【００８５】
（手順１．５）１つの公開の種類入力手順によって入力された公開の種類に応じた前記公開日取得手順によって取得された公開日から前記経過時間入力手順によって入力された経過時間（もしくは経過日数）までに記述日が存在する意見文を、複数タイトル入力手順によって入力されたタイトル（作品名）毎に、作品文記憶装置から取得する意見文取得手順。
【００８６】
（手順１．６）前記意見文取得手順によって取得された意見文を、当該タイトル（作品名），当該公開の種類，当該経過時間（もしくは経過日数）と共に出力する意見文出力手順。
【００８７】
また、前記意見文出力手順に、前記意見文取得手順によって取得された意見文の種類毎の出現数に基づいて、当該意見文の種類の統計情報を算出する意見集計手順を含み、その意見集計手順によって算出された統計情報を、前記タイトル（作品名），前記公開の種類，前記経過時間（もしくは経過日数）と共に出力する手順を含むこともあって良い。
【００８８】
以上のように、実施例１によれば、公開時期の異なる複数の作品に対する意見文（もしくは感想文）を、当該公開時期からの特定の経過時間（経過日数）内に記述された意見文（もしくは感想文）に限定し、比較できるように意見文を集計及び表示できる。
【００８９】
［実施例２］
実施例２における意見文出力装置の構成を図９に基づいて説明する。なお、以下の説明で図１中の符号と同じ符号のものの説明は省略する。
【００９０】
図９中の意見文出力装置は、１つの作品に関する情報を入力する単一作品情報入力部２０１，公開日取得部２１，意見文取得部３１，意見文出力部４１，作品公開情報記憶装置５１，作品文記憶装置６１を備える。
【００９１】
単一作品情報入力部２０１は、１つの作品のタイトル（作品名）を入力するタイトル入力部２０１１，複数の公開の種類入力部２０１２，経過時間入力部２０１３から構成される。
【００９２】
タイトル入力部２０１１は、１つのタイトル（作品名）を入力する。
【００９３】
複数の公開の種類入力部２０１２は、複数の公開の種類を入力する。
【００９４】
経過時間入力部２０１３は、経過時間（経過日数）を入力する。
【００９５】
公開日取得部２１は、単一作品情報入力部２０１によって入力された１つの作品のタイトルと、複数の公開の種類と、に応じて、公開の種類毎に公開日を作品公開情報記憶装置５１から取得する。
【００９６】
意見文取得部３１は、公開日取得部２１によって取得された公開日と、単一作品情報入力部２０１によって入力された経過時間（もしくは経過日数）と、に応じた記述日に対応する意見文と、タイトル（作品名）と、を作品文記憶装置６１から取得する。例えば、公開日から経過時間を加算した日時までに意見文の記述日が存在する意見文とタイトルを作品文記憶装置６１から取得する。
【００９７】
意見文出力部４１は、意見集計部４１１を備える。意見集計部４１１は、意見文取得部３１によって取得された意見文の種類毎の出現数に基づいて、当該意見文の種類の統計情報を算出し、当該統計情報を、当該タイトル（作品名）、当該公開の種類、当該経過時間（もしくは時間）、当該意見文と共に出力する。
【００９８】
実施例２における意見文出力装置の動作を図１０に基づいて説明する。
【００９９】
まず、タイトル入力部２０１１によって、意見文を比較したい１つの作品のタイトルを入力する（Ｓ３０１：タイトル入力）。このステップでは、例えば、作品名「映画Ｂ」の意見文を比較したい場合、ユーザーインタフェース装置を含むタイトル入力部２０１１によって、「映画Ｂ」を入力する。なお、特定の映画名を入力しているが、比較したい映画一覧を、予め備えられた一般的な記憶装置に予め格納しておき、該一般的な記憶装置から順次比較する映画名を入力しても良い。また、映画一覧は、例えば、映画紹介のｗｅｂサイトから入手できる。
【０１００】
次に、複数の公開の種類入力部２０１２によって、意見文を比較したい複数の公開の種類を入力する（Ｓ３０２：複数の公開の種類入力）。ステップＳ３０２の処理例としては、公開の種類が「映画上映」，「ＤＶＤ（Ｄｉｇｉｔａｌ  Ｖｅｒｓａｔｉｌｅ  Ｄｉｓｋ）発売」，「ＴＶ（Ｔｅｌｅｖｉｓｉｏｎ）放映」に対して意見文を比較する場合、複数の公開の種類入力部２０１２によって、「映画上映」，「ＤＶＤ発売」，「ＴＶ放映」を入力する。なお、特定の映画に関する公開の種類名を入力しているが、比較したい種類名を、予め備えられた一般的な記憶装置に予め格納しておき、該一般的な記憶装置から映画に関する公開の種類名を順次入力しても良い。公開の種類名は、例えば、映画の公式ｗｅｂサイトから入手できる。
【０１０１】
次に、経過時間入力部２０１３によって、意見文を比較したい作品の公開からの経過時間を入力する（Ｓ３０３：経過時間入力）。ステップＳ３０２の処理例としては、経過時間を映画の公開日を含めて３日間とした場合、経過時間入力部２０１３を使って、公開日を含めた３日間と入力する。
【０１０２】
次に、公開日取得部２１が、ステップＳ３０１で取得されたタイトル（作品名）と、ステップＳ３０２で取得された公開の種類と、に応じた公開日を、作品公開情報記憶装置５１から取得する（Ｓ３０４：公開日取得）。
【０１０３】
例えば、図１１中では、作品名「映画Ｂ」に対する公開情報一覧Ｔ３における公開種類Ｃ４１と公開日Ｃ４２が、作品公開情報記憶装置５１に格納されている。なお、公開情報一覧Ｔ３のような情報は、映画の公式ｗｅｂサイト等から入手できる。図１１中では、ステップＳ３０２で、「映画上映」，「ＤＶＤ発売」，「ＴＶ放映」が取得されているため、それぞれの公開日は、「２００５年８月１日」，「２００５年１２月１日」，「２００６年７月１日」が取得される。
【０１０４】
意見文取得部３１は、ステップＳ３０２で入力された公開の種類に応じたステップＳ３０４で取得された公開日からステップＳ３０３で取得された経過時間（もしくは経過日数）を加算した日時までに記述日が存在する意見文とタイトルを作品文記憶装置６１から取得する（Ｓ３０５：意見文取得）。
【０１０５】
例えば、作品文記憶装置６１が、作品名「映画Ｂ」に関する作品文情報を図１２中の意見文情報一覧Ｔ２３ように格納する。この一覧は、例えば、上述の非特許文献１における方法を利用して、作品名「映画Ｂ」に関して記述されたブログ記事から意見文を抽出すれば、ブログ記事毎にその記述日と意見文を抽出できる。
【０１０６】
また、図１２では、意見文を含む特定文書における記述日と意見文を含む意見文情報一覧Ｔ２３を示している。例えば、図１２中の文書ＩＤ  Ｃ２１が「Ｂ−１」、かつ、記述日Ｃ２２が「２００５年８月１日」、かつ、意見文Ｃ２３は「悲しかった」，「感動した」が抽出されたことを示す。この例では、ステップＳ３０３で公開日を含めた３日間と指定したため、図１１中の公開種類Ｃ４１が「映画上映」では、「２００５年８月１日」，「２００５年８月２日」，「２００５年８月３日」，公開種類Ｃ４１が「ＤＶＤ発売」では、「２００５年１２月１日」，「２００５年１２月２日」「２００５年１２月３日」、公開種類Ｃ４１が「ＴＶ放映」では、「２００６年７月１日」，「２００６年７月２日」，「２００６年７月３日」のそれぞれに対応する意見文が取得される。
【０１０７】
そして、意見文出力部４１が、ステップＳ３０５で取得された意見文を、意見集計部４１１によって、意見文の種類毎に該意見文の出現数を合計し、ステップＳ３０２で取得された公開の種類に関して、意見文の種類毎に合計値を、当該タイトル（作品名）、当該公開の種類、当該経過時間（もしくは時間）、当該意見文と共に出力する（Ｓ３０６：意見文出力）。
【０１０８】
図１３は、映画Ｂに関して、ステップＳ３０５によって図１２から取得された意見文を集計した結果（集計結果Ｒ２）である。その集計結果Ｒ２は、意見文Ｃ５１，映画上映における出現数Ｃ５２１とＤＶＤ発売における出現数Ｃ５２２とＴＶ放映における出現数Ｃ５２３から成る映画公開日から２日間の出現数Ｃ５２から構成される。図１３では、意見文種類毎に出現数の合計を算出しているが、比較するために都合の良い、意見文の種類毎の出現数に基づいた集計方法であれば何でも良い。例えば、出現数の合計値を文書数で割って１文書数当たりの数として算出する方法、出現数の合計値を全意見文の種類数で割って意見文の種類毎の割合として算出する方法などである。
【０１０９】
また、図１３では、集計結果Ｒ２を表形式で表示しているが、見やすい形に加工して表示しても良い。例えば、表示が棒グラフ表示、円グラフ表示などである。
【０１１０】
そして、ユーザが図１３中の集計結果を確認することによって、公開の種類毎に、各公開日を含めた３日間に記述された意見を容易に比較することが可能となる。なお、図１３中では、公開日を含めない経過時間を表示しているため、２日間となっている。
【０１１１】
例えば、図１３では、映画上映では「感動した」と感じた人がいたが、ＤＶＤ発売やＴＶ放映では「ストーリーが難解」と感じた人のほうが多いことが分かる。このことから、例えば、映画上映を観た人は、原作を見ることや事前に調べたりして、映画を見る前にストーリーが分かっていた人が多かったのではないか、などと分析できる。
【０１１２】
一方、全種類を集計してしまうと、例えば、一番意見の多い「悲しかった」だけに注目してしまいがちになる。
【０１１３】
なお、図１０中では、ステップＳ３０１，ステップＳ３０２，ステップＳ３０３と順に実行した場合について説明したが、これらのステップの順番は問わない。即ち、単一作品情報入力部２０１内の処理、すなわち、タイトル入力部２０１１、複数の公開の種類入力部２０１２、経過時間入力部２０１３による入力の順番は問わない。
【０１１４】
また、実施例２は、コンピュータに実行させるプログラムとして実装できる。即ち、次のような手順を有するプログラムである。
【０１１５】
（手順２．１）１つのタイトル（作品名）を入力するタイトル入力手順。
【０１１６】
（手順２．２）複数の公開の種類を入力する複数の公開の種類入力手順。
【０１１７】
（手順２．３）前記複数の公開の種類入力手順によって入力された種類に対する公開日から経過した時間（もしくは日数）を入力する経過時間入力手順。
【０１１８】
（手順２．４）前記タイトル入力手順によって入力された１つのタイトルの作品と、前記複数の公開の種類入力手順によって入力された複数の種類と、に応じた公開日を、作品公開情報記憶装置から取得する公開日取得手順。
【０１１９】
（手順２．５）前記複数の公開の種類入力手順によって入力された公開の種類に応じ、公開日取得手順によって取得された公開日から前記経過時間入力手順によって入力された経過時間（もしくは経過日数）までに意見文の記述日が存在する意見文とタイトルを作品文記憶装置から取得する意見文取得手順。
【０１２０】
（手順２．６）前記意見文取得手順によって取得された意見文を、当該タイトル（作品名），当該公開の種類，当該経過時間（もしくは経過日数）と共に出力する意見文出力手順。
【０１２１】
また、前記意見文出力手順に、前記意見文取得手順によって取得された意見文の種類毎の出現数に基づいて、当該意見文の種類の統計情報を算出する意見集計手順を含み、その意見集計手順によって算出された統計情報を、前記タイトル（作品名），前記公開の種類、前記経過時間（もしくは経過日数）と共に出力する手順を含むこともあって良い。
【０１２２】
以上のように、実施例２によれば、同じ作品について、異なる公開に起因する視聴者や体験者の意見文（もしくは感想文）を、特定の時期の複数の公開時期から経過時間（経過日数）内に記述された意見文（もしくは感想文）を限定し、比較できるように意見文を集計及び表示できる。
【０１２３】
以上、本発明の実施形態について説明したが、本発明は説明した実施形態に限定されるものでなく、各請求項に記載した範囲において各種の変形を行うことが可能である。
【０１２４】
例えば、本実施形態における意見文出力の変形構成として、アクション情報記憶装置及びオブジェクト文記憶装置を１つのデータベース装置で構成しても良い。
【図面の簡単な説明】
【０１２５】
【図１】本実施形態における意見文出力装置の構成図。
【図２】本実施形態における意見文出力装置の動作を示す図。
【図３】実施例１における意見文出力装置の構成図。
【図４】実施例１における意見文出力装置の動作を示す図。
【図５】公開情報一覧の例１を示す図。
【図６】意見文情報一覧の例１を示す図。
【図７】意見文情報一覧の例２を示す図。
【図８】実施例１における集計結果を示す図。
【図９】実施例２における意見文出力装置の構成図。
【図１０】実施例２における意見文出力装置の動作を示す図。
【図１１】公開情報一覧の例２を示す図。
【図１２】意見文情報一覧の例３を示す図。
【図１３】実施例２における集計結果を示す図。
【符号の説明】
【０１２６】
１…オブジェクト情報入力手段
２…アクション起動日取得手段
３…意見文取得手段
４…意見文出力手段
５…アクション情報記憶装置
６…オブジェクト文記憶装置
１１…名前入力手段
１２…アクションの種類入力手段
１３…経過時間入力手段
２１…公開日取得部
３１…意見文取得部
４１…意見文出力部
５１…作品公開情報記憶装置
６１…作品文記憶装置
１０１…複数作品情報入力部
２０１…単一作品情報入力部
４１１…意見集計部
１０１１…複数タイトル入力部
１０１２…１つの公開の種類入力部
１０１３…経過時間入力部
２０１１…タイトル入力部
２０１２…複数の公開の種類入力部
２０１３…経過時間入力部
Ｃ１１…映画名（タイトル）
Ｃ１２，Ｃ４２…公開日
Ｃ２１…文書ＩＤ
Ｃ２２…記述日
Ｃ２３，Ｃ３１，Ｃ５１…意見文
Ｃ３２，Ｃ５２…公開日から２日間の出現数
Ｃ３２１，Ｃ３２２…タイトル毎の出現数
Ｃ４１…公開種類
Ｃ５２１，Ｃ５２２，Ｃ５２３…公開種類毎の出現数
Ｒ１，Ｒ２…集計結果
Ｔ１，Ｔ３…公開情報一覧
Ｔ２１，Ｔ２２，Ｔ２３…意見文情報一覧
【図１】
2008299600.tif 000003
【図２】
2008299600.tif 000004
【図３】
2008299600.tif 000005
【図４】
2008299600.tif 000006
【図５】
2008299600.tif 000007
【図６】
2008299600.tif 000008
【図７】
2008299600.tif 000009
【図８】
2008299600.tif 000010
【図９】
2008299600.tif 000011
【図１０】
2008299600.tif 000012
【図１１】
2008299600.tif 000013
【図１２】
2008299600.tif 000014
【図１３】
2008299600.tif 000015